(57)【要約】      （修正有）【課題】走査ドライバの回路規模を小さくしつつ、逆バイアス電圧の印加も果たすことができるパッシブマトリクス型表示パネルの駆動方法および駆動装置を提供する。【解決手段】各走査線Ｋ１〜Ｋｍと各データ線Ａ１〜Ａｎとの間にそれぞれ発光素子が接続されたパッシブマトリクス型表示パネルの駆動装置において、走査対象となる走査線に対して走査選択電位を印加する走査ドライバ３と、発光駆動対象となるデータ線に対して発光駆動電流を供給するデータドライバ２が備えられる。前記走査ドライバ３における各走査スイッチＳｋ１〜Ｓｋｍは、それぞれ走査選択電位点（グランド電位）に対してＯＮまたはＯＦＦされるアナログスイッチにより構成されている。一方、前記各走査線のうち走査対象外の複数の走査線に対して、１つの抵抗素子Ｒ１を介してそれぞれ非走査選択電位（発光素子に対する逆バイアス電圧）ＶＫＨが供給されるように構成されている。【選択図】図３
2006337547.tif 000002
【特許請求の範囲】
【請求項１】
複数の走査線および複数のデータ線と、前記各走査線および各データ線の交差位置において前記各走査線と各データ線との間にそれぞれ接続された発光素子とを備えたパッシブマトリクス型表示パネルを発光駆動させる駆動方法であって、
前記各走査線のうち走査対象となる走査線に対して走査選択電位を印加し、前記各データ線のうち発光駆動対象となるデータ線に対して発光駆動電流を供給すると共に、
前記各走査線のうち走査対象外の複数の走査線に対しては、抵抗機能を果たす１つの素子を介してそれぞれ非走査選択電位を供給することを特徴とする発光表示パネルの駆動方法。
【請求項２】
前記抵抗機能を果たす素子の抵抗値は、各走査線毎の発光素子の点灯率もしくは表示パネルの発光輝度を設定するディマー値にしたがって可変されることを特徴とする請求項１に記載された発光表示パネルの駆動方法。
【請求項３】
前記抵抗機能を果たす１つの素子を介して、表示パネルに配列されたすべての前記走査線に対して非走査選択電位を供給することを特徴とする請求項１または請求項２に記載された発光表示パネルの駆動方法。
【請求項４】
前記表示パネルには発光色が異なる発光素子が配列され、同一発光色の発光素子が接続された複数の走査線に対して、抵抗機能を果たす素子を介して非走査選択電位をそれぞれ供給すると共に、前記抵抗機能を果たす少なくとも１つの素子は、他の素子の抵抗値と異なる値に設定されていることを特徴とする請求項１または請求項２に記載された発光表示パネルの駆動方法。
【請求項５】
複数の走査線および複数のデータ線と、前記各走査線および各データ線の交差位置において前記各走査線と各データ線との間にそれぞれ接続された発光素子とを備えたパッシブマトリクス型表示パネルを発光駆動させる駆動装置であって、
前記各走査線のうち走査対象となる走査線に対して走査選択電位を印加する走査ドライバと、前記各データ線のうち発光駆動対象となるデータ線に対して発光駆動電流を供給するデータドライバが備えられ、
前記各走査線のうち走査対象外の複数の走査線に対して、抵抗機能を果たす１つの素子を介してそれぞれ非走査選択電位を供給するように構成したことを特徴とする発光表示パネルの駆動装置。
【請求項６】
前記抵抗機能を果たす素子は、各走査線毎の発光素子の点灯率もしくは表示パネルの発光輝度を設定するディマー値にしたがって、その抵抗値が可変される可変抵抗素子により構成されていることを特徴とする請求項５に記載された発光表示パネルの駆動装置。
【請求項７】
前記抵抗機能を果たす１つの素子を介して、表示パネルに配列されたすべての前記走査線に対して非走査選択電位を供給するように構成したことを特徴とする請求項５または請求項６に記載された発光表示パネルの駆動装置。
【請求項８】
前記表示パネルには発光色が異なる発光素子が配列され、同一発光色の発光素子が接続された複数の走査線に対して、抵抗機能を果たす素子を介して非走査選択電位をそれぞれ供給するように構成されると共に、前記抵抗機能を果たす少なくとも１つの素子は、他の素子の抵抗値と異なる値に設定されていることを特徴とする請求項５または請求項６に記載された発光表示パネルの駆動装置。
【発明の詳細な説明】
【技術分野】
【０００１】
この発明は、複数の走査線およびデータ線との交差位置において、前記各走査線と各データ線との間にそれぞれ発光素子を接続してなるパッシブマトリクス型表示パネルの発光駆動方法および駆動装置に関し、特に前記各走査線を走査する走査ドライバの回路構成を簡素化させることができる発光表示パネルの駆動方法および駆動装置に関する。
【背景技術】
【０００２】
携帯電話機や携帯型情報端末機（ＰＤＡ）などの普及によって、高精細な画像表示機能を有し、薄型かつ低消費電力化を実現することができる表示パネルの需要が増大しており、従来より液晶表示パネルがその要求を満たす表示パネルとして多くの製品に採用されてきた。一方、昨今においては自発光型素子であるという特質を生かした有機ＥＬ（エレクトロ・ルミネッセンス）素子が実用化され、これが従来の液晶表示パネルに代わる次世代の表示パネルとして注目されている。これは素子の発光層に、良好な発光特性を期待することができる有機化合物を使用することによって、実用に耐え得る高効率化および長寿命化が進んだことも背景にある。
【０００３】
前記した有機ＥＬ素子は、基本的にはガラス等の透明基板上に、例えばＩＴＯによる透明電極（陽極）と発光機能層、およびアルミ合金などによる金属電極（陰極）とが順次積層されることで構成されている。そして、前記発光機能層は有機化合物による単一の発光層、あるいは有機正孔輸送層と発光層による二層構造、または有機正孔輸送層と発光層および有機電子輸送層からなる三層構造、さらには前記透明電極と正孔輸送層との間に正孔注入層を、また前記金属電極と電子輸送層との間に電子注入層を挿入した多層構造になされる場合もある。そして、前記発光機能層において発生する光は、前記透明電極および透明基板を介して外部に導出される。
【０００４】
前記した有機ＥＬ素子は、電気的にはダイオード特性を有する発光エレメントと、この発光エレメントに並列に結合する寄生容量成分とによる構成に置き換えることができ、有機ＥＬ素子は容量性の発光素子であるということが言える。この有機ＥＬ素子は、発光駆動電圧が印加されると、先ず当該素子の電気容量に相当する電荷が電極に変位電流として流れ込み蓄積される。続いて当該素子固有の一定の電圧（発光閾値電圧＝Ｖｔｈ）を越えると、一方の電極（ダイオード成分のアノード側）から発光機能層に向かって電流が流れはじめ、この電流に比例した強度で発光すると考えることができる。
【０００５】
一方、有機ＥＬ素子は電流・輝度特性が温度変化に対して安定しているのに対して、電圧・輝度特性が温度変化に対する依存性が高いこと、また、有機ＥＬ素子は過電流を受けた場合に劣化が激しく、発光寿命を短縮させるなどの理由により、一般的には定電流駆動がなされる。かかる有機ＥＬ素子を用いた表示パネルとして、素子をマトリクス状に配列したパッシブ駆動型表示パネルが、すでに一部において実用化されている。
【０００６】
図１には従来のパッシブマトリクス型表示パネルと、その駆動回路の一例が示されており、これは陰極線走査・陽極線ドライブの形態を示している。すなわち、ｎ本のデータ線（以下、これを陽極線とも言う。）Ａ１〜Ａｍが縦方向に配列され、ｍ本の走査線（以下、これを陰極線とも言う。）Ｋ１〜Ｋｍが横方向に配列され、各々の交差した部分（計ｎ×ｍ箇所）に、ダイオードのシンボルマークで示した有機ＥＬ素子Ｅ１１〜Ｅｎｍが配置されて、表示パネル１を構成している。
【０００７】
そして、画素を構成する各ＥＬ素子Ｅ１１〜Ｅｎｍは、縦方向に沿う陽極線Ａ１〜Ａｎと横方向に沿う陰極線Ｋ１〜Ｋｍとの各交点位置に対応して、一端（ＥＬ素子の等価ダイオードにおけるアノード端子）が陽極線に、他端（ＥＬ素子の等価ダイオードにおけるカソード端子）が陰極線に接続されている。さらに、各陽極線Ａ１〜Ａｎはデータドライバとしての陽極線ドライブ回路２に接続され、各陰極線Ｋ１〜Ｋｍは走査ドライバとしての陰極線走査回路３に接続されてそれぞれ駆動される。
【０００８】
前記陽極線ドライブ回路２には、駆動電圧源ＶＨからの駆動電圧を利用して動作する定電流源Ｉ１〜Ｉｎ、およびドライブスイッチＳａ１〜Ｓａｎが備えられており、ドライブスイッチＳａ１〜Ｓａｎが、前記定電流源Ｉ１〜Ｉｎ側に接続されることにより、定電流源Ｉ１〜Ｉｎからの電流が、走査される陰極線に対応して配置された個々のＥＬ素子Ｅ１１〜Ｅｎｍに対して発光駆動電流として供給されるように作用する。
【０００９】
また、前記ドライブスイッチＳａ１〜Ｓａｎは、非発光電位（図１に示す形態においては回路の基準電位であるグランド電位ＧＮＤ）が、陰極線に対応して配置された個々のＥＬ素子Ｅ１１〜Ｅｎｍに対して供給することができるように構成されている。
【００１０】
一方、前記陰極線走査回路３には、各陰極線Ｋ１〜Ｋｍに対応して走査スイッチＳｋ１〜Ｓｋｍが備えられ、非走査選択電位として機能する主にクロストーク発光を防止するために用いられる逆バイアス電圧源ＶＫＭからの逆バイアス電圧、もしくは走査選択電位（図１に示す形態においてはグランド電位ＧＮＤ）のうちのいずれか一方を、対応する陰極線に供給することができるように構成されている。
【００１１】
そして、前記した陽極線ドライブ回路２および陰極線走査回路３には、図示せぬＣＰＵ等を含む発光制御回路よりコントロールバスを介してそれぞれに制御信号が供給され、表示すべき映像信号に基づいて、前記走査スイッチＳｋ１〜ＳｋｍおよびドライブスイッチＳａ１〜Ｓａｎの切り換え操作がなされる。これにより、映像信号に基づいて陰極線を所定の周期でグランド電位に設定しながら所望の陽極線に対して定電流源Ｉ１〜Ｉｎが接続され、前記各ＥＬ素子Ｅ１１〜Ｅｎｍが選択的に発光されることで、表示パネル１上に前記映像信号に基づく画像が表示される。
【００１２】
なお、図１に示す状態は、第２の陰極線Ｋ２がグランド電位に設定されて走査状態になされ、この時、非走査状態の各陰極線Ｋ１，Ｋ２〜Ｋｍには、前記した逆バイアス電圧源ＶＨＭからの逆バイアス電圧が印加される。ここで、走査発光状態におけるＥＬ素子の順方向電圧をＶｆとした時、〔（順方向電圧Ｖｆ）−（逆バイアス電圧ＶＨＭ）〕＜（発光閾値電圧Ｖｔｈ）の関係となるように各電位設定がなされており、したがってドライブされている陽極線と走査選択がなされていない陰極線との交点に接続された各ＥＬ素子がクロストーク発光するのを防止するように作用する。
【００１３】
また、前記したようにＥＬ素子の発光動作に伴う順方向電圧の印加、および陰極線の非走査状態において逆バイアス電圧源ＶＨＭよりＥＬ素子に逆バイアス電圧を印加することで、ＥＬ素子の発光寿命を延ばす延命効果が得られることも知られている。図１に示した構成により発光駆動されるパッシブ駆動型表示装置、およびＥＬ素子に逆バイアス電圧を適宜印加する発光駆動装置についてはすでに多数の出願がなされており、本件出願人において出願した次に示す特許文献１、特許文献２などにも開示されている。
【特許文献１】特開２００４−３０２０７０号公報
【特許文献２】特開２００５−０６２２６３号公報
【発明の開示】
【発明が解決しようとする課題】
【００１４】
ところで、前記した構成のパッシブ駆動型表示装置においては、その走査ドライバに着目した場合、それぞれの走査線に対して走査選択電位（例えばグランド電位）もしくは非走査選択電位（例えば逆バイアス電圧）を印加させる走査スイッチが各走査線に対応してそれぞれ具備される。前記走査スイッチは前記した２つの電位を択一的に選択する機能を持たせるために、それぞれに２つのアナログスイッチを具備した構成になされる。
【００１５】
図２は、その走査スイッチの例を示したものであり、これは例えば図１に示す第１の走査スイッチＳｋ１の例を示しているが、他の走査スイッチＳｋ２〜Ｓｋｍについてもその構成は同様である。図２に示されたように第１のアナログスイッチとしてｐ型ＭＯＳＦＥＴ（Ｑ１）が用いられ、このＦＥＴ（Ｑ１）のソースに対して前記した逆バイアス電圧ＶＫＨが供給される。またＦＥＴ（Ｑ１）のドレインは第１の走査線Ｋ１に接続されており、これによりＯＮ／ＯＦＦ制御信号（ａ）がそのゲートに供給されることにより、第１の走査線Ｋ１に逆バイアス電圧ＶＫＨを選択的に供給することができる。
【００１６】
一方、第２のアナログスイッチとしてｎ型ＭＯＳＦＥＴ（Ｑ２）が用いられ、このＦＥＴ（Ｑ２）のソースは前記した走査選択電位（例えばグランド電位）に接続されている。また、ＦＥＴ（Ｑ２）のドレインは前記第１の走査線Ｋ１に接続されており、これによりＯＮ／ＯＦＦ制御信号（ｂ）がそのゲートに供給されることにより、第１の走査線Ｋ１を選択的に走査選択電位に設定することができる。
【００１７】
前記した従来の構成によると、１つの走査スイッチを構成するにあたり、２つのアナログスイッチが必要であるために走査ドライバの規模が必然的に大きくなるという課題を抱えている。また各走査スイッチをそれぞれドライブするために、ＯＮ／ＯＦＦ制御信号（ａ）および（ｂ）が必要になる。
【００１８】
この発明は、前記したようなパッシブマトリクス型表示装置における前記したような現実的な問題点に着目してなされたものであり、前記走査ドライバの回路規模を小さくしつつ、逆バイアス電圧の印加も果たすことができるパッシブマトリクス型表示パネルの駆動方法および駆動装置を提供することを課題とするものである。
【課題を解決するための手段】
【００１９】
前記した課題を解決するためになされたこの発明にかかる駆動方法の好ましい基本態様は、請求項１に記載のとおり、複数の走査線および複数のデータ線と、前記各走査線および各データ線の交差位置において前記各走査線と各データ線との間にそれぞれ接続された発光素子とを備えたパッシブマトリクス型表示パネルを発光駆動させる駆動方法であって、前記各走査線のうち走査対象となる走査線に対して走査選択電位を印加し、前記各データ線のうち発光駆動対象となるデータ線に対して発光駆動電流を供給すると共に、前記各走査線のうち走査対象外の複数の走査線に対しては、抵抗機能を果たす１つの素子を介してそれぞれ非走査選択電位を供給する点に特徴を有する。
【００２０】
また、前記した課題を解決するためになされたこの発明にかかる駆動装置の好ましい基本形態は、請求項５に記載のとおり、複数の走査線および複数のデータ線と、前記各走査線および各データ線の交差位置において前記各走査線と各データ線との間にそれぞれ接続された発光素子とを備えたパッシブマトリクス型表示パネルを発光駆動させる駆動装置であって、前記各走査線のうち走査対象となる走査線に対して走査選択電位を印加する走査ドライバと、前記各データ線のうち発光駆動対象となるデータ線に対して発光駆動電流を供給するデータドライバが備えられ、前記各走査線のうち走査対象外の複数の走査線に対して、抵抗機能を果たす１つの素子を介してそれぞれ非走査選択電位を供給するように構成したことを特徴とする。
【発明を実施するための最良の形態】
【００２１】
以下、この発明にかかる発光表示パネルの駆動装置について、図に示す実施の形態に基づいて説明する。なお、以下に説明するこの発明にかかる実施の形態においては、図１に示した各部と同一または相当する機能を果たす部分を同一符号で示しており、したがって、その詳細な説明は適宜省略する。
【００２２】
図３は、その第１の実施の形態を示したものであり、この図３に示す実施の形態においては、走査ドライバとしての走査ドライバ３における各走査スイッチＳｋ１〜Ｓｋｍは、それぞれＯＮまたはＯＦＦされる機能を備えた１つのアナログスイッチ、すなわち図２に示したＦＥＴ（Ｑ２）のみで構成されている。したがって各走査線Ｋ１〜Ｋｍは、前記各走査スイッチＳｋ１〜Ｓｋｍが択一的に順次ＯＮされることにより、順次走査状態になされる。なお、図３は第２の走査スイッチＳｋ２がオン状態になされ、第２の走査線Ｋ２が走査状態になされている場合を示している。
【００２３】
一方、図３に示す実施の形態においては、前記走査ドライバ３が接続された各走査線Ｋ１〜Ｋｍの他方の端部には、抵抗機能を果たす１つの素子（以下、抵抗素子とも称呼する。）Ｒ１を介して、非走査選択電位としてのＥＬ素子への逆バイアス電圧ＶＫＨが印加されるように構成されている。なお、図３に示す実施の形態においては、１つの前記抵抗素子Ｒ１を介して表示パネル１に配列されたすべての前記走査線Ｋ１〜Ｋｍに対して非走査選択電位としての逆バイアス電圧ＶＫＨが供給されるように、すなわち、抵抗素子Ｒ１によりすべての走査線Ｋ１〜Ｋｍが、電圧ＶＫＨ側にプルアップされるように構成されている。
【００２４】
したがって、図３に示した構成によると、走査対象となる走査線Ｋ１〜Ｋｍに対して走査選択電位（グランド電位）が順次印加され、前記各データ線Ａ１〜Ａｎのうち発光駆動対象となるデータ線に対して定電流源ＩＩ〜１ｎより選択的に発光駆動電流が供給される。この結果、表示パネル１上に配列された前記各ＥＬ素子Ｅ１１〜Ｅｎｍは選択的に発光し、表示パネル１上に映像信号に基づく画像を表示させることができる。
【００２５】
なお、前記した走査が実行される際に、前記１つの抵抗素子Ｒ１にそれぞれ接続される配線ラインを介して各走査線Ｋ１〜Ｋｍが短絡されるように考えられるが、現実には各走査線に存在する配線抵抗により、前記した走査を達成することができる。
【００２６】
そして、前記した走査が実行される時、非走査対象となる各走査線（図３に示す状態においては、Ｋ１，Ｋ３〜Ｋｍ）には、前記抵抗素子Ｒ１を介してそれぞれ非走査選択電位としての逆バイアス電圧ＶＫＨが印加される。これにより非発光状態に制御されるＥＬ素子には逆バイアス電圧が印加され、非発光状態に制御されるＥＬ素子がクロストーク発光するのを防止できると共に、逆バイアス電圧の印加により、当該ＥＬ素子の発光寿命を延ばす延命効果を与えることができる。
【００２７】
したがって、図３に示した実施の形態によると、走査ドライバ３における回路構成を簡素化させることができると共に、非発光状態に制御される各ＥＬ素子に対して逆バイアス電圧を印加させることができるので、前記したようにクロストーク発光の防止、およびＥＬ素子に延命効果を与えることができる。
【００２８】
図４は、この発明にかかる表示パネルの駆動装置における第２の実施の形態を示したものであり、この図４に示す実施の形態においては、前記した抵抗素子Ｒ１に代えて可変抵抗素子ＶＲ１が用いられている。そして、前記可変抵抗素子ＶＲ１は、各走査線毎のＥＬ素子の点灯率もしくは表示パネルの発光輝度を設定するディマー値にしたがって、その抵抗値が可変されるように構成されている。なお、図４においては、ＥＬ素子の走査線毎の点灯率もしくはディマー値に基づいて前記可変抵抗素子ＶＲ１の抵抗値がその都度、制御データをＶｄａによって可変制御されるように構成されている。
【００２９】
ここで、図４に示した構成の表示パネル１においては、走査点灯されるＥＬ素子の点灯率に応じて、逆バイアス電圧ＶＫＨから抵抗素子ＶＲ１を介して点灯制御されるＥＬ素子の寄生容量に対して充電される充電量が異なる現象が発生する。すなわち、走査対象にされる走査線におけるＥＬ素子の点灯率が低い場合においては、走査対象外の走査線に接続されたＥＬ素子の寄生容量を介して逆バイアス電圧ＶＫＨから点灯制御される個々のＥＬ素子に充電される充電量は大きくなる。
【００３０】
逆に走査対象にされる走査線におけるＥＬ素子の点灯率が高い場合においては、走査対象外の走査線に接続されたＥＬ素子の寄生容量を介して逆バイアス電圧ＶＫＨから点灯制御される個々のＥＬ素子に充電される充電量は相対的に小さくなる。このような作用により各走査線毎のＥＬ素子の点灯率に応じて輝度が変化する状態が発生し、これは横（水平）クロストークもしくはシャドウイングと呼ばれている。
【００３１】
また、前記シャドウイングは、表示パネルの全体的な輝度を制御するディマー制御におけるディマー値の設定が低い（画面を暗く設定する）ほど、その発生度合いが顕著になることが知られている。これはディマー値を低く設定するほど、１走査期間におけるＥＬ素子の発光時間が短く、もしくは駆動電流の値が小さく設定されるために、走査されていないＥＬ素子の寄生容量を介して走査されるＥＬ素子のデータ線を介して流れ込む電荷の寄与が相対的に高くなると考えられるためである。
【００３２】
そこで、図４に示した実施の形態においては、例えば１走査毎の素子の点灯率に応じて、またこの時に設定されているディマー値に応じて、前記可変抵抗素子ＶＲ１の抵抗値が前記制御データＶｄａによって制御されるように動作する。これにより、前記したシャドウイングの発生度合いを低減させることが可能となる。
【００３３】
なお、前記した１走査毎の素子の点灯率は、図には示していないが、表示すべき画像データを取り込む画像メモリより、１走査ライン毎に読み出して演算することで比較的容易に得ることができる。したがって、図４に示した実施の形態によると、図３に示した構成による前記した作用効果に加えて、シャドウイングの発生度合いも低減させることが可能となる。
【００３４】
図５は、この発明にかかる表示パネルの駆動装置における第３の実施の形態を示したものである。この図５に示す実施の形態においては、前記抵抗素子として２つの抵抗素子Ｒ１およびＲ２が備えられている。そして、第１の抵抗素子Ｒ１を介して表示パネル１の例えば上半分に配列された走査線に対して非走査選択電位としての逆バイアス電圧ＶＫＨを供給するように構成されると共に、第２の抵抗素子Ｒ２を介して表示パネル１の下半分に配列された走査線に対して非走査選択電位としての逆バイアス電圧ＶＫＨを供給するように構成されている。
【００３５】
図５に示した構成においても、図３に示した実施の形態と同様の作用効果を得ることができる。また図５に示した例に限らず、さらに３つ以上の抵抗素子を備えて、複数本の走査線毎に各々の抵抗素子を介して非走査選択電位としての逆バイアス電圧ＶＫＨを供給するように構成しても同様の作用効果を得ることができる。
【００３６】
また、図５に示した第１および第２の抵抗素子Ｒ１，Ｒ２、さらに前記した３つ以上の抵抗素子を備える場合であっても、それぞれの抵抗素子を図４に例示したように可変抵抗素子に置き換えることができる。そして、１走査毎の素子の点灯率に応じて、またこの時に設定されているディマー値に応じて、前記各可変抵抗素子の抵抗値を変化させることにより、同様に前記したシャドウイングの発生度合いを低減させることができる。
【００３７】
図６は、この発明にかかる表示パネルの駆動装置における第４の実施の形態を示したものである。この図６に示す実施の形態においては、前記表示パネル１には発光色が異なる発光素子が配列された例を示している。すなわちＲ（赤）、Ｇ（緑）、Ｂ（青）を発光するＥＬ素子をそれぞれサブ画素として、これら３つを組にしてカラー画素を構成した例を示している。
【００３８】
したがって、図６においては対応する各符号の末尾に、前記各色に応じた小文字のアルファベット（ｒ，ｇ，ｂ）を付して示している。なお図６はＲ，Ｇ，Ｂに対応する第１の走査スイッチＳｋ１ｒ，Ｓｋ１ｇ，Ｓｋ１ｂがそれぞれオン状態になされ、第１の各走査線Ｋ１ｒ，Ｋ１ｇ，Ｋ１ｂが走査状態になされている場合を示している。
【００３９】
この図６に示した実施の形態においては、同一発光色のＥＬ素子が接続された各走査線に対して、それぞれ共通の抵抗素子Ｒｒ，Ｒｇ，Ｒｂが備えられ、これらの抵抗素子Ｒｒ，Ｒｇ，Ｒｂを介して非走査選択電位としての前記逆バイアス電圧ＶＫＨがそれぞれに供給されるように構成されている。これによるとＲ、Ｇ、Ｂを発光する各ＥＬ素子の輝度特性（発光効率）が異なる場合であっても、前記各抵抗素子Ｒｒ，Ｒｇ，Ｒｂの抵抗値を異なる値に調整することで、カラーバランスを整えることができる。
【００４０】
なお、Ｒ、Ｇ、Ｂを発光する各ＥＬ素子の輝度特性（発光効率）からすると、抵抗素子Ｒｒ，Ｒｂの抵抗値を同一にし、Ｒｇの抵抗値は異なる値に設定することによっても、前記カラーバランスをある程度の範囲で整えることは可能である。
【００４１】
図６に示したカラー表示対応の実施の形態によると、例えばＲ、Ｇ、Ｂに対応してそれぞれ必要になる走査スイッチの個々において、その回路構成を簡素化させることができるので、走査ドライバの全体においては、その構成を著しく簡素化させることに寄与できる。また、図６に示した構成において、各抵抗素子Ｒｒ，Ｒｇ，Ｒｂを図４に基づいて説明したとおりそれぞれ可変抵抗素子に代えて、各可変抵抗素子を１走査毎の素子の点灯率に応じて、またこの時に設定されているディマー値に応じて、それぞれ変化させるように構成することで、前記したシャドウイング作用と同様の作用によるカラーバランスの悪化を低減させることが期待できる。
【００４２】
以上説明した各実施の形態においては、表示パネルに配列される発光素子として有機ＥＬ素子を用いた例を示しているが、前記発光素子として他の発光素子を用いた場合においても同様の作用効果を得ることができる。
【図面の簡単な説明】
【００４３】
【図１】従来のパッシブマトリクス型表示パネルとその駆動回路の一例を示した回路構成図である。
【図２】図１に示す駆動回路において使用される走査スイッチの構成例を示した回路構成図である。
【図３】この発明にかかる駆動装置の第１の実施の形態を示した回路構成図である。
【図４】同じく第２の実施の形態を示した回路構成図である。
【図５】同じく第３の実施の形態を示した回路構成図である。
【図６】同じく第４の実施の形態を示した回路構成図である。
【符号の説明】
【００４４】
１              発光表示パネル
２              データドライバ
３              走査ドライバ
Ａ１〜Ａｎ      データ線（陽極線）
Ｅ１１〜Ｅｎｍ  発光素子（有機ＥＬ素子）
Ｉ１〜Ｉｎ      定電流源
Ｋ１〜Ｋｍ      走査線（陰極線）
Ｒ１，Ｒ２      抵抗素子
Ｓａ１〜Ｓａｎ  ドライブスイッチ
Ｓｋ１〜Ｓｋｍ  走査スイッチ
ＶＨ            駆動電圧源
ＶＫＭ          逆バイアス電圧源（非走査選択電源）
ＶＲ１          可変抵抗素子
【図１】
2006337547.tif 000003
【図２】
2006337547.tif 000004
【図３】
2006337547.tif 000005
【図４】
2006337547.tif 000006
【図５】
2006337547.tif 000007
【図６】
2006337547.tif 000008